(57)【要約】【課題】デジタルカメラにおいて、画像の情報を映像信号に重畳する場合、独特のもので扱いにくい。【解決手段】画像の情報であるＡＳＣＩＩコードを含むファイルを生成し、ＳＤメモリを介して、カメラに入力し、重畳する情報をビューファインダーの画面で確認し、選択して映像信号にその情報を重畳する。【選択図】  図１
2004328111.tif 000002
【特許請求の範囲】
【請求項１】
被写体を撮影して第１の映像信号を生成する撮像手段と、画像の情報である半角英数字がＡＳＣＩＩ文字コードで表現されるファイルによって格納されている記憶手段と、前記記憶手段から読み出された文字コードを記憶する情報文字列管理手段と、ビューファインダーに表示する文字列を管理する表示文字列管理手段と、文字フォントを記憶し、前記文字列管理手段が要求する前記文字フォントのドット信号を出力するフォント変換部と、前記フォント変換部から出力されるドット信号に応じて、撮像手段から出力されるビューファインンダー用映像信号に文字を付加する第１の文字列付加手段と、前記文字列付加手段から出力される映像信号を表示するビューファインダーと、前記撮像部１から出力される本線用映像信号に前記情報文字列管理手段から出力される前記ＡＳＣＩＩコードである文字コードで表現するファイルを前記本線の映像信号に付加する第２の文字列付加手段とを具備することを特徴とするデジタルカメラ。
【請求項２】
２バイトで１つの文字をとなる文字コードに対応した文字フォントを格納するフォント記録手段と、前記フォント記録手段のフォントのドット情報を用いてフォントのドット信号を生成することを特徴とした請求項１記載のデジタルカメラ。
【請求項３】
使用フォントの使用頻度を記憶し、電源を切っても記憶内容を保存することができる使用頻度記憶手段と、新たに文字のフォントを記憶させようとしたときフォントの数の合計がフォント記憶手段の記憶できる数を越えた場合、前記使用頻度記憶手段の頻度の低い文字から、新しい文字に置き換えることを特徴とする請求項１または２記載のデジタルカメラ。
【請求項４】
映像信号が８ビットより多いときは、余ったビットを文字コードの誤り訂正ビットとして使用することを特徴とする請求項１〜３に記載のデジタルカメラ。
【請求項５】
画像の情報を半角英数字がＡＳＣＩＩコードである文字コードで表現するファイルを記憶手段の代わりに、ケーブルを介してカメラに入力することを特徴とする請求項１〜５に記載のデジタルカメラ。
【発明の詳細な説明】
【０００１】
【発明の属する技術分野】
本発明は、ビューファインダーで画像を確認する機能を有するデジタルカメラに関する。
【０００２】
【従来の技術】
通常デジタルカメラ内部で扱われている画像の情報はカメラ独特のもので、同じメーカーでも機種が異なれば、その情報も異なる形式になっている場合が多々あり、開発そのものにも時間がかかり、ユーザもその情報を扱いにくくなっている。
【０００３】
【特許文献１】
特開平０１−１７５０７３号公報
【０００４】
【発明が解決しようとする課題】
上記画像の情報を独特なものではなく、一般に普及するパソコンなどを利用して画像の情報を容易に作成し、扱うことができるようにし、その情報のインデックスをビューファインダーで確認もできるデジタルカメラを提供することを目的とする。
【０００５】
【課題を解決するための手段】
本願第１の発明のデジタルカメラは、被写体を撮影して第１の映像信号を生成する撮像手段と、画像の情報である半角英数字がＡＳＣＩＩ文字コードで表現されるファイルによって格納されている記憶手段と、前記記憶手段から読み出された文字コードを記憶する情報文字列管理手段と、ビューファインダーに表示する文字列を管理する表示文字列管理手段と、文字フォントを記憶し、前記文字列管理手段が要求する前記文字フォントのドット信号を出力するフォント変換部と、前記フォント変換部から出力されるドット信号に応じて、撮像手段から出力されるビューファインンダー用映像信号に文字を付加する第１の文字列付加手段と、前記文字列付加手段から出力される映像信号を表示するビューファインダーと、前記撮像手段から出力される本線用映像信号に前記情報文字列管理手段から出力される前記ＡＳＣＩＩコードである文字コードで表現するファイルを前記本線の映像信号に付加する第２の文字列付加手段とを具備する。
【０００６】
本願第２の発明のデジタルカメラは、第１の発明に加えて、２バイトで１つの文字をとなる文字コードに対応した文字フォントを格納するフォント記録手段と、前記フォント記録手段のフォントのドット情報を用いてフォントのドット信号を生成する。
【０００７】
本願第３の発明のデジタルカメラは、第１及び第２の発明に加えて、使用フォントの使用頻度を記憶し、電源を切っても記憶内容を保存することができる使用頻度記憶手段と、新たに文字のフォントを記憶させようとしたときフォントの数の合計がフォント記憶手段の記憶できる数を越えた場合、前記使用頻度記憶手段の頻度の低い文字から、新しい文字に置き換える。
【０００８】
本願第４の発明のデジタルカメラは、第１〜第３の発明に加えて、映像信号が８ビットより多いときは、余ったビットを文字コードの誤り訂正ビットとして使用する。
【０００９】
本願第５の発明のデジタルカメラは、第１〜第４の発明の、画像の情報を半角英数字がＡＳＣＩＩコードである文字コードで表現するファイルを記憶手段の代わりに、ケーブルを介してカメラに入力する。
【００１０】
【発明の実施の形態】
以下本発明の実施の形態について図面を参照しながら説明する。
【００１１】
（実施の形態１）
図１は本願第１の発明のデジタルカメラの構成図で、１は撮像部（撮像手段）、２はＳＤメモリ（記憶手段）、３は情報文字列管理部（情報文字列管理手段）、４はマイコン、５は表示文字列管理部（表示文字列管理手段）、６はフォント変換部、７はビューファインダー用文字列付加部（第１の文字列付加手段）、８はビューファインダー、９は本線用文字列付加部（第２の文字列付加手段）である。
【００１２】
以上述べた図１のように構成されるデジタルカメラについて、文字列”ＡＢＣ”をビューファインダーに表示し、一方で本線の映像のブランキング期間に文字列”ＡＢＣ”を画像の情報として重畳する動作を図２及び図３を用いて説明する。また、映像信号のビット数は８ビットとする。
【００１３】
まず、パソコンでＡＢＣという文字列をＡＳＣＩＩコードを含む文字コードからなるファイルとして生成する。ＳＤメモリ２に書き込む。次にそのＳＤメモリ２をカメラに接続し、カメラでは、ＳＤメモリが接続されたことを感知すると、メモリに格納されているファイルの最初の１０文字を読み出し、情報文字列管理部に記憶する。ここで、ファイルが１０文字より少ないときは、そのファイルの文字列を全部読みだすことになる。読み出された文字列は、表示文字列管理部に送られ、読み出したファイルの順に、画面の上から表示するように配置される。ここで、ファイルの数が多く画面いっぱいになった場合は、次のページに配置される。そして、どのページを表示するかは、ユーザからの要求に応じてマイコンから指示がだされて決定する。ビューファインダーに表示する水平と垂直の座標とそこに該当する文字の情報をフォント変換部６に送り、フォント変換部６では文字に対応したフォントに対して、水平と垂直の座標をそれぞれフォントサイズの剰余からフォントのどのドットを出力するかを算出して、水平と垂直の座標に対応する文字のフォントのドットを出力する。このドット信号が１のときにビューファインダー文字列付加部７にて映像を白１０５％のレベルに置き換える。白１０５％は０％が１６、１００％が２３５の系なら２４６である。これにより、ＡＢＣという文字列が図２に示すようにビューファインダー８に表示され、ユーザは最初の文字列がＡＢＣであるファイルを扱っていることが認識できる。一方で、情報文字列管理部３からはＡＢＣの文字列のコードは本線文字列付加部に送られる。ＡＢＣの文字列はＡＳＣＩＩコードなので、Ａは１６進数で４１、Ｂは１６進数で４２、Ｃは１６進数で４３のコードになっている。この文字列を映像の水平ブランキングに、文字列の開始コードと終了コードを前後につけて、重畳する。開始コードと終了コードは図３の（ａ）または（ｂ）に示すように、ＡＳＣＩＩコードで使用していないコードを使用する。但し、１６進数ＦＦと１６進数で００はブランキングの判別信号として使用されているので、使用してはならない。
【００１４】
以上の動作により、デジタルカメラにおいて画像の情報を簡単に作成でき、なおかつ画像に重畳することができる。重畳したデータはＡＳＣＩＩコードなので、特別な変換テーブルも必要なく扱いやすくなっている。
【００１５】
なお、映像信号のビット幅が８ビットより多いときは、文字の情報の８ビット以外の残りのビットを誤り訂正のビットとして使用してもよい。
【００１６】
また、ＳＤメモリ２の代わりにＵＳＢなどでパソコンなどと接続し、直接パソコンなどから画像の情報である文字列ファイルを入力してもよい。
【００１７】
また、マイコン４は撮像部１内のマイコンを利用してもよい。
【００１８】
（実施の形態２）
図４は本願第２の発明のデジタルカメラの構成図で、１は撮像部（撮像手段）、２はＳＤメモリ（記憶手段）、３は情報文字列管理部（情報文字列管理手段）、４はマイコン、５は表示文字列管理部（表示文字列管理手段）、６はフォント変換部、７はビューファインダー用文字列付加部（第１の文字列付加手段）、８はビューファインダー、９は本線用文字列付加部（第２の文字列付加手段）、１０はフォントが格納されているＳＤメモリ（記憶手段）である。
【００１９】
以上述べた図４のように構成されるデジタルカメラについて、動作はほぼ実施の形態１にて述べたものと同じなので、異なる部分のみについて述べる。
【００２０】
フォントＳＤメモリ１０には、ＡＳＣＩＩコードの１バイトで１つの文字になる半角文字の他に２バイトで１つの文字になる全角文字のフォントが格納されている。フォント変換部は使用する文字のフォントをあらかじめフォントＳＤメモリ１０から読み出しておく。そして、実施の形態１同様に画面の水平及び垂直の座標に対応したドットが出力され、ビューファインダーに文字列が表示される。
【００２１】
以上の動作により、デジタルカメラにおいて画像の情報を簡単に作成でき、なおかつ画像に重畳することができる。重畳したデータはＡＳＣＩＩコードなので、特別な変換テーブルも必要なく扱いやすくなっている。また、２バイトで構成される文字にも対応できるようになる。
【００２２】
なお、映像信号のビット幅が８ビットより多いときは、文字の情報の８ビット以外の残りのビットを誤り訂正のビットとして使用してもよい。
【００２３】
また、フォント変換部に格納する文字のフォントは使用頻度を監視し、使用頻度の少ない文字のフォントを新しいフォントに置き換えることにより、フォントＳＤメモリへのアクセス回数を減らすことができる。
【００２４】
また、ＳＤメモリ２の代わりにＵＳＢなどでパソコンなどと接続し、直接パソコンなどから画像の情報である文字列ファイルを入力してもよい。
【００２５】
また、マイコン４は撮像部１内のマイコンを利用してもよい。
【００２６】
【発明の効果】
以上のように本発明のデジタルカメラによれば、画像の情報をビューファインダーに表示してユーザが情報の内容を確認でき、なおかつ、情報はＡＳＣＩＩコードを含むコードで構成されているため、情報の作成が容易で、映像に重畳したあとも、特別な変換テーブルがなくても情報を扱うことができる。
【図面の簡単な説明】
【図１】本発明の実施の形態１のデジタルカメラの構成を示す図
【図２】本発明の実施の形態１のビューファインダーの画面を示す図
【図３】本発明の実施の形態１の文字を映像信号に重畳する形態を示す図
【図４】本発明の実施の形態２のデジタルカメラの構成を示す図
【符号の説明】
１  撮像部
２  ＳＤメモリ
３  情報文字列管理部
４  マイコン
５  表示文字列管理部
６  フォント変換部
７  ビューファインダー用文字列付加部
８  ビューファインダー
９  本線用文字列付加部
１０  ＳＤメモリ
【図１】
2004328111.tif 000003
【図２】
2004328111.tif 000004
【図３】
2004328111.tif 000005
【図４】
2004328111.tif 000006